(57)【要約】【課題】情報を記録する記録パルスとして、緩和振動を伴って発生するサブナノクラスのパルスレーザ光を用いて記録媒体に情報を記録する情報記録再生装置ならびにそれに用いる光ヘッド装置において、記録パルスの出力を安定化する。【解決手段】この発明は、レーザ素子（２０）に、レーザ素子から出力される光が連続した２以上のピークを含み、そのピーク相互間の間隔が２００ｐｓ（ピコ秒）以下となるよう規定された駆動電流を供給するレーザ駆動回路（９）を含み、短期間で光ディスクの情報記録層の温度を昇温して記録マークを形成することを特徴とする。【選択図】      図１
2009301653.tif 000002
【特許請求の範囲】
【請求項１】
所定波長の光を出力する光源と、
前記光源に、前記光源から出力される光が２以上のピークを含み、そのピーク相互間の間隔が２００ｐｓ（ピコ秒）以下となるよう規定された駆動電流を供給する駆動回路と、
前記光源からの光を情報記録媒体の情報記録層に集光するレンズと、
を有することを特徴とする光ヘッド装置。
【請求項２】
前記光源から出力される２以上のピークを含む光は、前記光源の緩和振動により生起されることを特徴とする請求項１記載の光ヘッド装置。
【請求項３】
前記光源から出力される２以上のピークを含む光は、前記駆動回路から供給される立ち上がり時間が２００ｐｓ以下の駆動電流により出力されることを特徴とする請求項１または２記載の光ヘッド装置。
【請求項４】
前記駆動回路から前記光源に供給される駆動電流の立ち上がり時間は、前記駆動回路から前記光源に供給される駆動電流の伝送路の抵抗値により任意に設定されることを特徴とする請求項１ないし３のいずれかに記載の光ヘッド装置。
【請求項５】
所定波長の光を出力するレーザ素子と、
前記レーザ素子に、緩和振動を伴う２以上の連続したパルス状の光を出力可能に、所定の立ち上がり時間より短い立ち上がり時間の駆動電流を供給するレーザ駆動回路と、
前記レーザ素子からの光を情報記録媒体の情報記録層に集光するレンズと、
前記レンズにより取得した情報記録媒体の情報記録層からの反射光から情報記録媒体に記録されている情報を再生する信号処理回路と、
を有することを特徴とする情報記録再装置。
【請求項６】
前記駆動回路から前記レーザ素子に供給される駆動電流の立ち上がり時間は、前記駆動回路から前記レーザ素子に供給される駆動電流の伝送路の抵抗値により任意に設定されることを特徴とする請求項５記載の情報記録再生装置。
【請求項７】
所定波長の光を出力するレーザ素子に、立ち上がり時間が２００ｐｓ以下の駆動電流により緩和振動に伴う２つ以上のピークを有する連続したパルス状の光を出力させ、
この２つ以上のピークを有する連続したパルス状の光により、記録媒体の情報記録層を加熱して情報を記録する
ことを特徴とする情報記録再生方法。
【発明の詳細な説明】
【技術分野】
【０００１】
この発明は、サブナノクラスのパルスレーザ光を用いて記録媒体に情報を記録する情報記録再生装置ならびにそれに用いる光ヘッド装置に関する。
【背景技術】
【０００２】
情報の記録、再生ならびに消去（繰り返し記録）に適した記録媒体として、光ディスクが広く利用されている。なお、光ディスクは、記録容量で区別すると、ＣＤ規格、ＤＶＤ（デジタル多用途ディスク）規格に分類される。また、映像および音声（音楽データ）のより高密度な記録が可能なＤＶＤ規格をさらに発展させた光ディスクも既に実用化されている。
【０００３】
上記のＤＶＤ規格をさらに発展させた光ディスクへの記録方法として、記録パルス長さが１ｎｓ（ナノ秒）よりも小さい急峻なパルスを利用することにより、記録密度を高める方法が開発されている。この記録方法は、例えばサブナノパルス記録方法、あるいは緩和振動を利用した記録方法と称される。
【０００４】
特許文献１には、緩和振動を使った光ディスク記録装置／半導体レーザ駆動方法が開示されている。なお、文献１には、記録用のレーザ光を出力する際に、半導体レーザ素子に注入する電流を下げる、ことおよびその周期がおよそ２ＧＨｚから４ＧＨｚであることが記載されている。
【特許文献１】特開２００２−１２３９６３
【発明の開示】
【発明が解決しようとする課題】
【０００５】
しかしながら、特許文献１に記載された記録装置／半導体レーザ駆動方法においては、記録用のレーザ光の立ち上がりおよび立ち下がり特性を改善するために、緩和振動を利用することを示すのみで、記録パルスの出力を安定化すること、および緩和振動により発生する急峻なパルスを情報の記録に利用することは言及されていない。
【０００６】
この発明の目的は、情報を記録する記録レーザ光として、緩和振動により発生するサブナノクラスのパルスレーザ光を用いて記録媒体に情報を記録する情報記録再生装置ならびにそれに用いる光ヘッド装置において、ピークパワーすなわち記録パルスの出力を安定化することである。
【課題を解決するための手段】
【０００７】
この発明は、上記問題点に基づきなされたもので、所定波長の光を出力する光源と、前記光源に、前記光源から出力される光が２以上のピークを含み、そのピーク相互間の間隔が２００ｐｓ（ピコ秒）以下となるよう規定された駆動電流を供給する駆動回路と、前記光源からの光を情報記録媒体の情報記録層に集光するレンズと、を有することを特徴とする光ヘッド装置である。
【発明の効果】
【０００８】
この発明によれば、緩和振動を伴って発生するサブナノクラスのパルス状のレーザ光の出力、すなわち記録パルスの出力が安定化される。これにより、ＤＶＤ規格をさらに発展させた記録密度の高い光ディスクへの安定な情報の記録を実現することができる。
【発明を実施するための最良の形態】
【０００９】
以下、図面を参照して、この発明の実施の形態について詳細に説明する。
【００１０】
図１は、本発明の実施の形態が適用可能な情報記録再生装置（光ディスク装置）の構成の一例を示す。
【００１１】
図１に示す情報記録再生装置すなわち光ディスク装置１は、中心波長が４０５ｎｍで、例えば４００〜４１０ｎｍの範囲の紫色波長帯の光すなわちレーザビーム（以下、レーザ光と略称する）を出力可能な半導体レーザ素子（光源）２０を含む。なお、半導体レーザ素子２０は、例えばレーザダイオード（Laser Diode，以下、ＬＤと略称する）で、共振器長は０．８ｍｍである。
【００１２】
ＬＤ２０から出射されたレーザ光１００は、コリメートレンズ（以下、ＣＬと略称する）２１により平行光化され、偏光ビームスプリッタ２２およびλ／４板２３を透過し、対物レンズ（以下、ＯＬと略称する）２４に案内される。
【００１３】
ＯＬ２４に案内されたレーザ光１００は、ＯＬ２４により所定の収束性が与えられ、情報記録媒体すなわち光ディスクＤの詳述しない透明基板（光入射側基板）を透過し、目的とする情報記録層に集光される。すなわち、ＯＬ２４を通ったレーザ光は、ＯＬ２４の焦点位置において最小光スポットを呈する。従って、ＯＬ２４を、ＯＬ２４と光ディスクＤの情報記録層との間の距離がＯＬ２４の焦点位置に一致するよう、フォーカス制御により逐次変化することで、ＯＬ２４により収束されたレーザ光の最小光スポットにより光ディスクＤの情報記録層に記録されている情報が再生される。また、光ディスクＤに情報を記録する際には、最小光スポットを呈するレーザ光により光ディスクＤの情報記録層が局所的に昇温されることにより記録マークすなわちピットが形成される。なお、ＯＬ２５は、例えばプラスチック製で、開口数ＮＡは、例えば０．６５である。
【００１４】
光ディスクＤの情報記録層で反射された反射光（反射レーザ光）１０１は、光ディスクＤの基板を透過し、ＯＬ２４、λ／４板２３を透過し、偏光ビームスプリッタ２２に戻される。
【００１５】
偏光ビームスプリッタ２２に戻された反射レーザ光１０１は、詳述しないが偏光ビームスプリット面において反射され、結像レンズ（以下、ＦＬと略称する）２５により所定の収束性が与えられて、光検出器２６の受光部（受光面）に結像される。
【００１６】
光検出器２６の受光面は、詳述しないが、例えば互いに直交する２つの直線により区分された複数の検出領域を有し、それぞれの検出領域において、光強度に応じた電流を出力する。
【００１７】
光検出器２６から出力された電流は、図示しないＩ／Ｖアンプにより電圧に変換され、演算回路３を介して、光ディスクＤの情報記録層に記録されている情報（データ）として再生されるＨＦ信号や、フォーカス制御のための光ディスクＤの情報記録層とＯＬ２４との間の間隔を制御するためのフォーカス誤差信号、トラック制御のための光ディスクＤの情報記録層に記録されている情報であるピット列もしくは同情報記録層にあらかじめ形成されている案内溝（グルーブまたはトラックと称されることも多い）の中心とＯＬ２４により集光された光スポットとの間の位置を制御するためのトラック誤差信号などに演算処理される。
【００１８】
ＯＬ２４は、アクチュエータ２７を介して、光ディスクＤの情報記録層と直交する方向（ＯＬ２４の光軸方向すなわちフォーカス制御方向）およびディスクラジアル方向（案内溝すなわちトラック／グルーブを横切る方向）すなわちトラック制御方向）に、随時移動される。すなわち、アクチュエータ２７に保持されたＯＬ２４は、サーボドライバ５からアクチュエータ２７に供給される制御信号（フォーカス制御信号／トラック制御信号）により、（アクチュエータ２７が）フォーカス制御方向およびトラック制御方向（ラジアルチルト（ディスクラジアル）方向）について移動されることにより、光ディスクＤの情報記録層のピット列またはトラック／グルーブの概ね中心に、光スポットのサイズが所定の大きさよりも小さいオンフォーカス状態（最小光スポット）で集光するように、随時移動される。
【００１９】
演算回路３により演算処理された信号のうち、光ディスクＤの情報記録層に対する情報（データ）の書き込みに利用される記録用レーザ光の波形および強度については、制御部７の書き込みストラテジ部（記録波形安定化部）を介して、ストラテジすなわち書き込み波形が、最適化される。
【００２０】
制御部７により最適化された書き込み波形は、ＬＤ２０により出力される記録用レーザ光、再生用レーザ光ならびに消去用レーザ光のそれぞれを、最適な波形および強度で出力させるレーザ駆動回路（Laser diode driving circiut，以下ＬＤＤと略称する）９に入力される。これにより、ＬＤ２０から、情報の記録、消去および再生に適した波形および光強度のレーザ光が出力される。
【００２１】
光ディスクＤとしては、例えば現行のＤＶＤ規格の光ディスクに比較してさらに高密度の記録が可能な光ディスクが利用可能である。また、ＤＶＤ規格の光ディスクであって、情報の記録と消去が可能なＤＶＤ−ＲＡＭディスクおよびＤＶＤ−ＲＷディスク、新たな情報の書き込み（追記／１回記録）のみが可能なＤＶＤ−Ｒディスク、もしくは既に情報が記録されているＤＶＤ−ＲＯＭディスク等の、周知のさまざまな種類のディスクのそれぞれも利用可能であることはいうまでもない。
【００２２】
ＬＤＤ９は、図２および図５により以下に説明するが、特に光ディスクＤへの情報の記録時において、ＬＤ２０からサブナノクラスの短周期のレーザ光を出力させるために、所定の期間および波形の緩和振動パルスを出力できる。
【００２３】
まず、図２（ａ）〜図２（ｄ）を用いて、光ディスクＤ（記録媒体）の図示しない記録膜に情報を記録するために利用可能な記録パルスの生成方法（レーザ駆動方法）について説明する。
【００２４】
図２（ａ）および図２（ｂ）は、ＬＤ（半導体レーザ素子）における、一般的なレーザ駆動電流とレーザ駆動電流供給された場合のレーザ光の出射（レーザ出力）との関係を示し、図２（ｃ）は、緩和振動パルス（本発明で用いる特徴的なレーザ出力）を得ることのできるレーザ駆動電流の供給例であり、図２（ｄ）はこのようなレーザ電流が駆動された場合のレーザ出力（レーザ光の強度）を示す。
【００２５】
図２（ａ）および図２（ｃ）に示す通り、駆動電流は、バイアス電流Ｉｂｉとピーク電流Ｉｐｅの２レベルに制御されている。なお、バイアス電流がさらに２つのレベル、あるいは、３つのレベルに細分化されて制御される場合もあるがここでは、説明の簡易化のため、バイアス電流とピーク電流がそれぞれ１レベルずつの場合を用いて説明する。
【００２６】
通常の記録パルス生成の場合、ＬＤＤ９は、図２（ａ）に示すように、ＬＤ２０がレーザ発振を開始する閾値電流Ｉｔｈよりもやや高いレベルに設定されたバイアス電流Ｉｂｉをまず生成し、ＬＤ２０を予備的に駆動する。その後、時刻Ｂにてバイアス電流Ｉｂｉへと引き下げられるまでの間、時刻Ａにて、所望のピークパワーを得るためのピーク電流Ｉｐｅが印加される。このように、時刻Ａから時刻Ｂまでの間、ピーク電流Ｉｐｅが印加されることで、図２（ｂ）に示すようなレーザ出力（レーザ出射光強度の時間変化）が得られる。
【００２７】
すなわち、レーザ駆動電流の大きさが、バイアス電流Ｉｂｉである時刻Ａまでの間は、出射光強度は、ＬＤ２０から出力されるレーザ光は、光ディスクＤにデータを記録することができない極く低いパワーであるが、ピーク電流Ｉｐｅが印加され、レーザ光の強度が記録パワーまで増大される。時刻Ｂ以降は、出射光の強度は、再び低パワーとなることはいうまでもない。
【００２８】
より詳細に出射光強度を観測すると、図２（ｂ）においては、時刻Ａにおいて強度が記録パワーまで引き上げられた際に、定常の記録パワーに安定するまでに、強度が瞬間的に上昇して低下する様子が伺える（図中の矢印Ｃ部分）。これは、ＬＤ２０の緩和振動によるものであり、通常の記録パルス生成においては、この緩和振動がなるべく小さくなるように制御を行なう。
【００２９】
緩和振動とは、このように半導体レーザにおいて、駆動電流があるレベルから閾値電流を大きく超える一定のレベルまで急激に上昇した際に生ずる、過渡的な振動現象である。
【００３０】
なお、緩和振動は、振動を繰り返す毎に小さくなり、やがて振動は治まる。
【００３１】
本発明の光記録装置においては、この緩和振動を積極的に記録に利用するものである。
【００３２】
すなわち、本来は、発生を抑制すべき緩和振動であるが、緩和振動に特有の「パルス長が短い」、「エネルギー量（光出力としてのレーザパワーの積分値）は、光ディスクＤの記録膜を記録レベルに変化させることができる場合がある」ことを利用して、パルス長が短く急峻な記録パルスを『安定に』得ることを、本発明で達成しようとするものである。
【００３３】
図２（ｃ）に示すようにＬＤ２０にＬＤＤ９から所定の特性の駆動電流を供給すると、図２（ｄ）から明らかなように、振動を伴うがピークレベルの高いレーザ出力が、僅かな時間だけ得られる。
【００３４】
より詳細には、ＬＤ２０に、閾値電流Ｉｔｈより低いレベルに設定されたバイアス電流Ｉｂｉを供給し、所定のタイミングすなわち時刻Ａにて、通常の記録パルス生成よりも早い立ち上がり時間で急激に、駆動電流を閾値電流Ｉｔｈよりも高いピーク電流レベルＩｐｅまで引き上げ、通常の記録パルス生成よりも短いナノ秒レベルの僅かな時間経過後の時刻Ｄにて、バイアス電流Ｉｂｉに戻す。
【００３５】
この場合、図２（ｄ）に見られるように、レーザ出力（レーザ出射光強度の時間変化）が得られる。
【００３６】
すなわち、図２（ｄ）において、閾値電流Ｉｔｈよりも低いバイアス電流Ｉｂｉにより駆動されている時刻Ａまでは、ＬＤ２０はレーザ発振を開始しておらず、無視できる程度のレベルであって、発光ダイオードとしての光出射がある程度である。その後、時刻Ａにおいて急激に電流が印加されることで、緩和振動を伴うレーザ発振が生じて出射光強度も急激に上昇する。
【００３７】
以下、緩和振動の振幅は次第に定常レベルに収束するが、所定の時間すなわち時刻Ｄを定めて、駆動電流を閾値電流Ｉｔｈよりも低いＩｂｉに設定することで、あるエネルギー量のレーザ光が得られる。なお、時刻Ｄは、図２（ｃ）および図２（ｄ）から明らかなように、緩和振動の２周期目のパルスが生成されたタイミングとしている。
【００３８】
このように、緩和振動によるパルスは、通常の記録パルスに比べて、非常に短い時間で出射光強度が上昇し、半導体レーザの構造によって決まる一定の周期で出射光強度が低下するという特徴を持っている。従って、緩和振動によるパルスを記録パルスに用いることにより、通常の記録パルスでは得られない、短い立ち上がり・立下り時間を持ち、かつ強いピーク強度を持った短パルスを得ることができる。なお、後段に一例を示すが、本願で用いる緩和振動の周期は、ピーク出力が１０％である時点と同９０％である時点とにより規定されるレーザ出力の期間をそのレーザ光の幅（半値全幅）としたうえで、２つ以上のパルスが連続している場合に隣接するレーザ光の半値全幅相互間の期間を示し、約２３０ｐｓ（ピコ秒）である。
【００３９】
図３は、図２（ａ）〜図２（ｄ）により説明した原理によりＬＤ（半導体レーザ素子）から出射されるレーザ光の波形の一例を示す。
【００４０】
既に説明した通り、緩和振動は、ＬＤ（半導体レーザ素子すなわち発振系）において、駆動電流があるレベルから閾値電流を大きく超える一定のレベルまで急激に上昇した際に生ずる、過渡的な振動現象であるから、立ち上がりの速い電流をＬＤに流したときに発生する。反面、立ち上がり時間が長い場合にはこの過渡現象は小さくそのために、緩和振動のピーク出力も著しく低下する。従って、光ディスクＤの情報記録層に対する情報の記録に用いる記録パルスとして利用するためには、パルス幅（記録パルス長）が安定であることはもちろん、ピーク出力（レーザ光の最大値）が予定したレベルに達していることが必須である。
【００４１】
図３に示すレーザ光は、最初の出力のピークの大きさを「１００」とするとき、所定期間（緩和振動の周期）Ｔ経過後に、概ね６０％程度の大きさを示す第２の出力を伴う。なお、図３に示した例では、最初の出力と第２の出力との間の期間すなわち緩和振動の周期Ｔは、上述した半値全幅相互間の期間として概ね２３０ｐｓである。
【００４２】
緩和振動の周期Ｔは、一般に、    
【数１】
2009301653.tif 000003
【００４３】
ここで、Ａは光閉じこめ係数、ｄｇ／ｄｎは微分利得、Ｓはフォトンの密度、τｐはフォトンの寿命    
により示される。
【００４４】
上記（１）式における緩和振動の周期を決めるパラメータの値は、通常は測定することが困難であるが、図３に示したような十分に立ち上がり時間の短い電流をＬＤに入射したときに発生するレーザ光の波形に基づいて、緩和振動の周期Ｔを測定することができる。
【００４５】
ところで、緩和振動により生じるレーザ光の強度（ピーク出力）については、図４に示すように、ＬＤ（半導体レーザ素子）２０に対してＬＤＤ（レーザ駆動回路）９から供給されるレーザ駆動電流の立ち上がり時間とも関連があることが認められる。なお、図４に示したレーザ駆動電流の立ち上がり時間は、図５を用いて説明するが、『レーザ駆動電流の大きさを０ｍＡから定常の電流値Ｉ１（例えば１００ｍＡ）まで増加する際の時間』に従って変動する。また、レーザ駆動電流の立ち上がり時間は、ＬＤＤ９とＬＤ２０との間の伝送路（電気回路）の抵抗値を変化させることによって、任意に設定できる。
【００４６】
すなわち、図４において、図５により説明したレーザ駆動電流の立ち上がり時間が５０ｐｓである場合のレーザ光の強度（ピーク出力）を「１」とし、ピーク出力が「０．９（立ち上がり時間が５０ｐｓの場合の９０％の出力）」が得られる立ち上がり時間を求めると、概ね２００ｐｓであることが認められる。
【００４７】
このような背景から、緩和振動を用いて光ディスクＤの情報記録層に情報を記録する際に、緩和振動の最初の出力と第２の出力までのレーザ光により情報が記録される（２つめのパルス状のレーザ光までのエネルギーにより情報記録膜が昇温されて記録マークが形成される）とすると、レーザ光の第２の出力は、最初の出力から上述の周期Ｔが２００ｐｓ以内である期間内に出力されることが必要となる。
【００４８】
なお、図６（ａ）〜図６（ｃ）に、レーザ駆動回路（ＬＤＤ）９から半導体レーザ素子（ＬＤ）２０に供給されるレーザ駆動電流の時間発展（ａ）、ＬＤから出射されるレーザ波形（ｂ）、ならびに出力レーザ波形によって光ディスクＤの記録膜に形成されるマーク（記録マーク）の形状を示す（ｃ）。
【００４９】
図６（ａ）において、光ディスクＤの記録膜上のレーザ光の集光点が記録マークを形成しない場所にある領域（Ａ）の区間では、ＬＤ２０から出射されるレーザ光のパワーは、光ディスクＤ上の位置情報を読み出すためと、サーボをかけておくために光ディスクＤから情報を再生する際に用いられる再生用のパワーに制御されている。すなわち、レーザ発振可能な駆動電流の閾値であるＩｔｈよりも大きなＩ２の大きさの駆動電流がＬＤ２０に供給される。
【００５０】
また、区間（Ｃ）においては、Ｉ２よりもさらに大きなＩ３のレーザ駆動電流がＬＤ２０に供給され、最大値がＰ１に達する緩和振動パルスレーザ光（図６（ｂ）参照）が出力される。
【００５１】
なお、緩和振動パルス光が出力される領域（Ｃ）の直前の所定時間Ｔ１の間、すなわち領域（Ｂ）の間、閾値Ｉｔｈよりも小さいＩ１の大きさのレーザ駆動電流が、ＬＤ２０に供給される。
【００５２】
また、緩和振動終了後すなわち領域（Ｄ）におけるレーザ駆動電流の大きさは、再び、閾値Ｉｔｈよりも大きな前述のＩ２としている。
【００５３】
従って、ＬＤＤ（レーザ駆動回路）９においては、ＬＤ（半導体レーザ素子）２０から緩和振動に伴うパルス状のレーザ光を２つめのピーク出力（緩和振動の期間内で２つめのパルス状のレーザ光が出射されるタイミング）までが、少なくとも２００ｐｓ以内で出力可能な伝送路の抵抗値が与えられることが好ましい。
【００５４】
以上説明したように、レーザダイオード（半導体レーザ素子）を用いて記録用のレーザ光を得る場合、緩和振動を誘発させてパルス状のレーザ光を発生させることで、緩和振動を使わない場合と比べて、レーザ光の強度（ピーク出力）を高めることができる。また、緩和振動ともなって出力される２つめのピーク出力までを、記録媒体である光ディスクの情報記録層の昇温すなわち情報の記録に用いることで、緩和振動を使わない場合と比べて短時間で、情報の記録が可能となる。
【００５５】
このことにより、比較的短い時間で、大きなエネルギーを光ディスクに照射することができる。なお、このように、短い時間で大きなパワーのレーザ光を光ディスクに照射すると、レーザ光が照射されている時間内で熱が逃げにくく、効率的に光ディスクを加熱することができ、１つのマークを形成するために照射するレーザ光のエネルギーは、緩和振動を使わない長い持続時間のレーザ光を使った場合と比較すると、小さくなる。
【００５６】
従って、ＬＤ（半導体レーザ素子）による消費電力も小さくなり、ＰＵＨ（光ピックアップヘッド）の熱上昇も抑止できる。このことは、同時に、ＬＤの温度上昇に伴うレーザ光の波長変動やＯＬ（対物レンズ）の屈折率の変化に起因する収差の発生等を低減でき、記録マークの品位が低下することも抑止できる。
【００５７】
なお、本発明は、上述のいずれかの実施の形態そのままに限定されるものではなく、実施段階ではその要旨を逸脱しない範囲で構成要素を変形して具体化できる。また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５８】
【図１】この発明の一実施形態が適用される情報記録再生装置（光ディスク装置）の一例を示す概略図。
【図２】図１に示した光ディスク装置に組み込まれる半導体レーザ素子から出力される光とレーザ駆動電流との関係を説明する概略図。
【図３】図２により説明した原理によりＬＤ（半導体レーザ素子）から出射されるレーザ光の波形の一例を示す概略図。
【図４】ＬＤ（半導体レーザ素子）に供給されるレーザ駆動電流の立ち上がり時間と出射されるレーザ光の光強度と関係を説明する概略図。
【図５】図４に示したレーザ駆動電流の立ち上がり時間を説明する概略図。
【図６】図１に示した光ディスク装置に組み込まれる半導体レーザ素子から出力される光と記録膜に形成される記録マーク（の形成過程）の関係を説明する概略図。
【符号の説明】
【００５９】
１…光ディスク装置（情報記録再生装置）、３…演算回路、５…サーバドライバ、７…制御部、９…レーザ駆動回路（ＬＤＤ）、２０…レーザダイオード（半導体レーザ素子、光源）、２１…コリメートレンズ、２２…偏光ビームスプリッタ、２３…１／４波長板、２４…対物レンズ、２５…結像レンズ、２６…光検出器、２７…アクチュエータ。
【図１】
2009301653.tif 000004
【図２】
2009301653.tif 000005
【図３】
2009301653.tif 000006
【図４】
2009301653.tif 000007
【図５】
2009301653.tif 000008
【図６】
2009301653.tif 000009